(57)【要約】【課題】クリーナレスシステムを採用した電子写真方式の画像形成装置におけるＬＥＤヘッドのトナー汚染を効果的且つ継続的に防止することができる画像形成装置を提供することを目的とする。【解決手段】感光体ドラム１５と、該感光体ドラム１５の表面を一様に帯電する帯電器１６と、ＬＥＤ１７ａの照射により感光体ドラム１５の表面に静電潜像を形成する露光器１７と、該静電潜像を現像してトナー像を形成する現像器１８と、該トナー像を記録媒体に転写する転写器１９とを備えた画像形成装置Ａにおいて、上記露光器１７と現像器１８との間に、感光体ドラム１５の表面に非接触状態の導電部材２５を設け、この導電部材２５にアース電位若しくはトナーｔの帯電極性と逆極性の電位が付与されていることを特徴とする。【選択図】図３
2007293063.tif 000002
【特許請求の範囲】
【請求項１】
感光体ドラムと、該感光体ドラムの表面を一様に帯電する帯電器と、発光ダイオードの照射により感光体ドラムの表面に静電潜像を形成する露光器と、該静電潜像を現像してトナー像を形成する現像器と、該トナー像を記録媒体に転写する転写器とを備えた画像形成装置において、
上記露光器と現像器との間に、感光体ドラムの表面に非接触状態の導電部材を設け、この導電部材にアース電位若しくはトナーの帯電極性と逆極性の電位を付与することを特徴とする画像形成装置。
【請求項２】
請求項１に記載の画像形成装置において、
前記転写器と帯電器との間に、感光体ドラムの表面に残留するトナーを掻き乱すメモリー除去部材を更に設けたことを特徴とする画像形成装置。
【請求項３】
請求項１又は請求項２に記載の画像形成装置において、
前記露光器と帯電器との間に、感光体ドラム表面に非接触状態の別の導電部材を更に設け、この導電部材にアース電位若しくはトナーの帯電極性と逆極性の電位を付与することを特徴とする画像形成装置。
【請求項４】
請求項１乃至請求項３のいずれかに記載の画像形成装置において、
前記導電部材を、前記露光器の金属製フレームに電気的に接続し、この電気的接続により該導電部材にアース電位を付与することを特徴とする画像形成装置。
【発明の詳細な説明】
【技術分野】
【０００１】
本発明は、ファクシミリ装置、複写機或いはプリンタ（これらの複合機も含む）等に採用される画像形成装置に関し、更に詳しくは、クリーナレスシステムを採用した電子写真方式の画像形成装置に関する。
【背景技術】
【０００２】
クリーナレスシステムを採用した電子写真方式の画像形成装置は、感光体ドラムの周りにその回転方向に沿って、感光体ドラム表面を一様に帯電する帯電器と、感光体ドラムの表面に静電潜像を形成する露光器と、静電潜像を現像してトナー像を形成する現像器と、トナー像を記録媒体に転写する転写器と、感光体ドラム表面に残留するトナーを掻き乱すメモリー除去部材とを順に配して構成される。メモリー除去部材は、所定の電位が負荷された導電性ブラシからなり、感光体ドラム表面に摺接し、転写後の残留トナーを掻き乱して静電潜像への影響を回避するものであり、この残留トナーは帯電部・露光部を経て現像器に回収されるようになされている。尚、メモリー除去部材に代え、帯電器にメモリー除去機能を持たせるよう構成される場合もある。
【０００３】
上記露光器としては、多数の発光ダイオード（以下、ＬＥＤと言う）を並べて構成されたＬＥＤヘッドアレイが、コンパクトで安価且つ低電力であることから電子写真方式の画像形成装置に多く用いられている。ＬＥＤヘッドアレイは、その特性上発光部（レンズ部）を感光体ドラム表面に近接して配置する必要がある。而して、クリーナレスシステムの場合、メモリー除去部材や帯電器によって感光体ドラム表面に対する付着力が弱められた残留トナーが浮遊し易くなった状態で、ＬＥＤヘッドの発光部の近傍を通過する為、この発光部の表面にトナーが付着し、これが汚れとなって露光不足となり、画像品質の低下を来たす原因となることがある。
【０００４】
特許文献１には、ＬＥＤヘッドの発光面と、感光体ドラム表面との間に、トナー電位と反発する極性の電位が付与された導電性部材を配置し、飛散するトナーを導電性部材に近付けないようにして、ＬＥＤヘッドの発光面にトナーが付着するのを防止するようにした電子写真方式の画像形成装置が開示されている。また、特許文献２には、クリーナレスシステムを採用した電子写真方式の画像形成装置において、付着力が弱まり浮遊する転写後の残留トナーを、ＬＥＤヘッドの発光面に付着する前に、感光体ドラムの回転方向下流側に導く為のガイドをＬＥＤヘッドに配置することが開示されている。
【特許文献１】特開平８−８５２３０号公報
【特許文献２】特開平２００２−１７２８１４号公報
【発明の開示】
【発明が解決しようとする課題】
【０００５】
しかし、上記特許文献１に開示された画像形成装置は、クリーナレスシステムを採用した電子写真方式の画像形成装置ではなく、従って、付着力の弱まった転写後の残留トナーによるＬＥＤヘッドの汚染を防止することを意図したものではない。また、ＬＥＤヘッドの発光面の近傍に配置される導電性部材にトナー電位と反発する極性の電位を付与することによって、飛散トナーを導電性部材に接近させないようにし、これによりＬＥＤヘッドにトナーを付着させないようにしたものであるが、ＬＥＤヘッドとは別の部位に、積極的に飛散トナーを捕集するという技術思想はない。一方、特許文献２は、クリーナレスシステムを採用した電子写真方式の画像形成装置におけるＬＥＤヘッドのトナー汚染を防止するものであるが、ガイドと感光体ドラムとの間に空気の流れを発生させ、飛散トナーを感光体ドラムの回転方向下流側に導くことによって、ＬＥＤヘッドへの飛散トナーの付着を防止するものであり、この場合も、ＬＥＤヘッドとは別の部位に、積極的に飛散トナーを捕集する技術思想はない。このように、両特許文献共、装置における飛散トナーの汚染環境を根本的に改善するものではないから、ＬＥＤヘッドのトナー汚染防止機能を経時的に維持するには十分とは言えなかった。
【０００６】
本発明は、上記実情に鑑みなされたものであり、クリーナレスシステムを採用した電子写真方式の画像形成装置におけるＬＥＤヘッドのトナー汚染を効果的且つ継続的に防止することができる画像形成装置を提供することを目的としている。
【課題を解決するための手段】
【０００７】
本発明に係る画像形成装置は、感光体ドラムと、該感光体ドラムの表面を一様に帯電する帯電器と、ＬＥＤの照射により感光体ドラムの表面に静電潜像を形成する露光器と、該静電潜像を現像してトナー像を形成する現像器と、該トナー像を記録媒体に転写する転写器とを備えた画像形成装置において、上記露光器と現像器との間に、感光体ドラムの表面に非接触状態の導電部材を設け、この導電部材にアース電位若しくはトナーの帯電極性と逆極性の電位を付与することを特徴とする。
【０００８】
本発明においては、転写器と帯電器との間に、感光体ドラムの表面に残留するトナーを掻き乱すメモリー除去部材を更に設けても良い。また、前記露光器と帯電器との間に、感光体ドラム表面に非接触状態の別の導電部材を更に設け、この導電部材にアース電位若しくはトナーの帯電極性と逆極性の電位を与するものとすることができる。さらに、前記導電部材を、前記露光器の金属製フレームに電気的に接続し、この電気的接続により該導電部材にアース電位を付与するものとすることができる。
【発明の効果】
【０００９】
本発明の画像形成装置においては、露光器と現像器との間に、感光体ドラム表面に非接触状態の導電部材を設け、この導電部材にアース電位若しくは上記トナーの帯電極性と逆極性の電位を付与しているから、転写後に感光体ドラム表面に残留し、浮遊・飛散状態とされたトナーが、導電部材に吸引捕集され、露光器のＬＥＤがこのトナーによって汚染されることがない。しかも、この浮遊・飛散状態のトナーを導電部材によって積極的に吸引捕集することになるから、装置内の飛散トナーによる汚染環境が経時的に累積悪化することがない。
【００１０】
また、転写器と帯電器との間に、感光体ドラムの表面に残留するトナーを掻き乱すメモリー除去部材を更に設けた場合、トナーがより浮遊・飛散し易くなるから、導電部材によって積極的にトナーを吸引捕集する機能がより効果的となる。前記露光器と帯電器との間に、感光体ドラム表面に非接触状態の別の導電部材を更に設け、この導電部材にアース電位若しくはトナーの帯電極性と逆極性の電位を付与するようにすれば、両導電部材のトナー吸着機能が相乗して、ＬＥＤの浮遊・飛散トナーによる汚染防止がより有効になされ、加えて、装置内の飛散トナーによる汚染環境の経時的悪化の抑制がより確実になされる。更に、導電部材を、前記露光器の金属製フレームに電気的に接続し、この電気的接続により該導電部材にアース電位を付与するようにすれば、通常この種露光器はその金属製フレームがアースされた状態で装置内に設置されるから、導電部材を付加するだけで、上記のようなＬＥＤのトナー汚染防止機能が発揮され、装置が大型化することがない。
【発明を実施するための最良の形態】
【００１１】
以下に本発明の最良の実施の形態について、図面に基づいて説明する。図１は本発明の画像形成装置が採用された複合機の一例を示す概略的縦断面図、図２は同画像形成装置の拡大断面図、図３は図２におけるＸ部の拡大図、図４は別の実施形態の図３と同様図、図５は更に別の実施形態の図３と同様図である。
【実施例】
【００１２】
図１は、ファクシミリ機能、複写機能及びプリンタ機能を備えた所謂複合機１であるが、本発明の画像形成装置は、記録部を備えたファクシミリ装置、複写機、プリンタ及びこれらが組合わさった装置にも適用されるものである。図例の複合機１は、上部より自動原稿送り装置（ＡＤＦ）２、画像読取部３、画像記録部４及び記録紙の給紙部５が積層状態で構成されている。ＡＤＦ２は、原稿トレイ２ａ上に堆積載置された原稿を、ピックアップローラ２ｂ及び分離手段（分離ローラとリタードローラの対）２ｃにより１枚ずつ繰出し分離し、各搬送ローラ対２ｄ、２ｅ、２ｆにより湾曲搬送路２ｇを搬送させながら、途中ＡＤＦ原稿の読取ポイントｐにおいて、静止した読取走査装置（後記する）３ａによってその画像を読取り、排出ローラ対２ｈによって原稿排出トレイ２ｉ上に順次排出させるべく機能するものである。尚、分離手段２ｃとしては、分離ローラと分離パッドからなるものも多く採用されている。
【００１３】
画像読取部３は、ＡＤＦ読取部３ｂと平板式読取走査部（ＦＢＳ）３ｃとにより構成され、図１は、上記読取走査装置３ａがＡＤＦ読取ポイントｐの直下のＡＤＦ読取部３ｂに静止し、ＡＤＦ２によって順次自動給送される原稿の画像を読取る状態を示している。ＦＢＳ３ｃにおいて画像読取を行う場合は、読取走査装置３ａがＦＢＳ３ｃに移動し、プラテンガラス３ｄの下を左右に往復移動しながら、プラテンガラス３ｄの上に下向きに置かれた原稿の画像を読取る。上記ＡＤＦ２を構成する一連の機構は、プラテンカバー（原稿押圧板）も兼ね、紙面奥側をヒンジ部として上下に開閉可能とされている。
【００１４】
図例の画像記録部４は、クリーナレスシステムを採用した電子写真方式の画像形成装置からなることを示すがその詳細については後記する。給紙部５は、紙面垂直方向に出し入れ可能な記録紙カセット（用紙載置部）６を備え、記録紙カセット６の前端部上には給紙ローラ７が配設されている。この給紙ローラ７には摩擦分離パッド８が弾接され、給紙ローラ７の支軸７ａ周りの回転に伴い、記録紙カセット６に収容された記録紙（用紙）Ｐが、最上層部より繰出され、摩擦分離パッド８の作用を受けて１枚ずつ分離され給送されて行く。記録紙カセット６内には、枢支ピン９ａを支点として上下揺動可能とされた押上板９及び記録紙Ｐの後端を規制する位置調整可能な規制板９ｂが設けられている。押上板９は圧縮ばね９ｃにより上向き付勢状態とされる。その他、図示及び説明を割愛するが、記録紙カセット６として必要な付帯部材も装備されるものであることは言うまでもない。尚、記録紙カセット６の下に、更にオプションカセット（不図示）を配設し、２段以上のマルチカセットシステムを構成することも可能である。
【００１５】
上記摩擦分離パッド８は、パッド台８ａに支持され、該パッド台８ａは、記録紙カセット６の記録紙排出側端部に用紙幅全域に亘り形成された用紙ガイド部材１０の略中央部に圧縮ばね（不図示）により上向き付勢状態で設置されている。この圧縮ばねによる上向き付勢作用により、摩擦分離パッド８は給紙ローラ７の周面に弾接状態とされる。用紙ガイド部材１０の背後には下段カセットからの記録紙が通過し得る間隔を隔てて、ジャムアクセスカバー（メンテナンス用開閉カバー）１１が取付けられており、このジャムアクセスカバー１１は、複合機１における箱型筐体（装置本体）１ａの右側壁部に、ヒンジピン１１ａを支点として開閉可能に取付けられている。ジャムアクセスカバー１１の内面上方部分は記録紙カセット６側に湾曲して、後記する湾曲搬送路１２の一部を形成する。
【００１６】
ジャムアクセスカバー１１の内側には、上記装置本体１ａ内に設置された搬送ローラ１３と対合するプレスローラ１３ａが取付けられており、ジャムアクセスカバー１１を、ヒンジピン１１ａを支点として開ければ、搬送ローラ１３とプレスローラ１３ａとの対合が解除され、この付近にジャムした記録紙の取出しが可能とされる。湾曲搬送路１２は、記録紙カセット６から繰出された記録紙を、略１８０度方向転換して、Ｕターン状に搬送し画像記録部４に向かわせるものである。この湾曲搬送路１２における画像記録部４の上流側近傍には、レジストローラ対１４が配設され、記録紙がレジストされ、画像記録部４に導入される。搬送ローラ１３、湾曲搬送路１２及びレジストローラ対１４により、記録紙カセット６から繰出された記録紙を記録部に給送させる為の記録紙搬送手段が構成される。
【００１７】
図例の画像記録部４は、上記の通り、クリーナレスシステムを採用した電子写真方式の画像形成装置Ａからなる。この画像形成装置Ａを、図２も参照して説明する。即ち、本画像形成装置Ａは、感光体ドラム１５、帯電器１６、露光器１７、現像器１８、転写器１９及びメモリー除去部材２０により構成される。この画像形成装置Ａの下流側には定着器２１が配設され、画像形成装置Ａにおいてトナー画像が転写された記録紙（記録媒体）を加熱・加圧し、トナー画像を永久画像として定着させ、定着器２１の下流側の排出ローラ対２２より記録済み記録紙を排出トレイ２３に排出させるようになされている。
【００１８】
感光体ドラム１５、帯電器１６及びメモリー除去部材２０は、樹脂製のドラムユニット筐体２４に組込まれ、ドラムユニット１５Ａとして構成される。このドラムユニット１５Ａは、上記複合機１の装置本体１ａ内の所定部位に着脱自在に装着される。帯電器１６は、図例ではブラシ帯電器であることを示しているが、ローラ帯電器、スコロトロン型帯電器であっても良い。メモリー除去部材２０は、導電性ブラシからなり、その先端が感光体ドラム１５の表面に摺接するよう組付けられる。このドラムユニット１５Ａが、装置本体１ａ内に装着された時には、感光体ドラム１５を支軸１５ａ周りの矢印Ｙ方向に回転させる為の不図示の回転伝達系、帯電器１６及びメモリー除去部材２０を所定のバイアス電位に印加させる為の不図示の電源コネクタに夫々連結されるようになされている。メモリー除去部材２０に代え、帯電器１６に残留トナーのメモリー除去機能を持たせるようにしても良いことは上述の通りである。
【００１９】
また、現像器１８は、トナー容器を兼ねる現像器ユニットケーシング１８ａ内に、攪拌器１８ｂ、供給ローラ１８ｃ、現像ローラ１８ｄが配設されて、現像器ユニット１８Ａとして構成される。上記ドラムユニット１５Ａと、現像器ユニット１８Ａとは、不図示の結合手段によって分離可能に一体化され、装置本体１ａ内の所定部位に着脱可能に装着される。両ユニット１５Ａ，１８Ａの結合状態では、感光体ドラム１５と現像ローラ１８ｄとが互いに近接関係とされる。現像器ユニット１８Ａが、装置本体１ａ内に装着された時には、攪拌器１８ｂを回転させる為の不図示の回転伝達系、供給ローラ１８ｃ及び現像ローラ１８ｄを矢印Ｚ１，Ｚ２方向に回転させる為の不図示の回転伝達系、現像ローラ１８ｄを所定のバイアス電位に印加させる為の不図示の電源コネクタに夫々連結されるようになされている。
【００２０】
露光器１７は、多数のＬＥＤ１７ａを走査方向（感光体ドラム１５の軸方向）に沿って配列されたＬＥＤヘッドアレイからなり、前記装置本体１ａ内に設置され、ドラムユニット１５Ａが装置本体１ａ内の所定部位に装着された時には、ＬＥＤ１７ａの先端発光部（レンズ部）１７ｂが感光体ドラム１５の表面に近接するよう位置決めされる。ＬＥＤヘッドアレイ（露光器）１７は、金属製（板金製）フレーム１７Ａ内に、発光部１７ｂが感光体ドラム１５側に露出するよう組込まれ、フレーム１７Ａは装置本体１ａを通じてアース１７ｃされている（図３〜図５参照）。転写器（転写ローラ）１９は、装置本体１ａ内の前記レジストローラ対１４と定着器２１との間の用紙搬送路の途中に回転可能に配設され、ドラムユニット１５Ａが装置本体１ａ内の所定部位に装着された時には、感光体ドラム１５と対接し、所定のバイアス電位が印加され且つ感光体ドラム１５と協働回転するよう構成される。
【００２１】
上記構成の画像形成装置Ａにおいては、上記画像読取部３で読取られた画情報、或いはファクシミリやパソコン等の外部端末から送信された画情報が、帯電器１６によって一様に帯電された感光体ドラム１５の表面に、露光器１７によって光情報として書き込まれ、感光体ドラム１５の表面には光情報に基づく静電潜像が形成される。この静電潜像は、現像器１８によって現像され、転写器１９において、前記湾曲搬送路１２を搬送されレジストローラ対１４によって感光体ドラム１５との対合部にレジスト導入された記録紙にトナー画像として逐次転写される。記録紙に転写されたトナー画像は、定着器２１によって永久画像として定着され、永久画像が形成された記録紙は、排出ローラ対２２によって排出トレイ２３上に排出・堆積される。転写部を経た感光体ドラム１５の表面には、若干のトナーが付着残留しており、この残留トナーは、所定のバイアス電位が印加されたメモリー除去部材２０によって掻き乱され、感光体ドラム１５の表面上に分散される。この残留トナーは、その後の露光工程での静電潜像の形成に影響を及ぼすことなく現像器１８に回収される。
【００２２】
上記転写後の感光体ドラム１５の表面に残留するトナーは、所定のバイアス電位が印加されたメモリー除去部材２０によって掻き乱されるから、感光体ドラム１５の表面に対する付着力が弱められ、浮遊し易い状態で、帯電器１６を経て、露光器１７の発光部１７ｂの近傍に至る。従って、この浮遊し易い状態の残留トナーは、露光器１７の発光部１７ｂに付着し、この付着したトナーによって露光器１７の発光強度が低下することになる。本発明の画像形成装置Ａにおいては、この残留トナーの露光器１７の発光部１７ｂに対する付着を防止する為の方策が採られている。この付着防止の方策の種々の実施形態について以下に述べる。
【００２３】
図３に示す実施形態では、ドラムユニット筐体２４における現像器１８側の部位に、感光体ドラム１５の略長さ範囲に亘る金属板製の導電部材２５が固着されている。この導電部材２５は、ドラムユニット筐体２４に対する固着基部から、鈎型に屈折された屈折片２５ａを有し、この屈折片２５ａは感光体ドラム１５の表面に非接触で、現像器１８側よりその自由端が露光器１７の発光部１７ｂの近傍に臨んでいる。また、導電部材２５の長手方向複数箇所において切起し形成された切起し舌片２５ｂを備え、この切起し舌片２５ｂは露光器１７の金属製フレーム１７Ａの表面に弾接している。従って、導電部材２５は、切起し舌片２５ｂ及び金属製フレーム１７Ａを通じてアース１７ｃされ、アース電位に維持される。
【００２４】
上記のように感光体ドラム１５の表面に残留するトナーｔは、メモリー除去部材２０の作用を受けて付着力が弱められ、浮遊し易い状態で露光器１７による露光部位に至る。この時、残留トナーｔは帯電（プラス又はマイナス帯電）された状態とされているから、アース電位に維持された導電部材２５との間に電位差を有し、浮遊し易い状態のトナーｔは、露光器１７に近づくに伴い、この電位差によって導電部材２５に吸引されて付着し、露光器１７の発光部１７ｂに付着することがない。そして、鈎型に屈折された屈折片２５ａは、感光体ドラム１５の表面に非接触で近接されているから、この狭い空間においては、感光ドラム１５の回転に伴い空気の流れが生じ、この空気の流れ作用と上記電位差による吸引力とが相乗し、導電部材２５へのトナーｔの吸着が効果的になされる。
【００２５】
図４に示す実施形態では、ドラムユニット筐体２４における帯電器１６側の部位に、感光体ドラム１５の略長さ範囲に亘る金属板製の別の導電部材２６が更に固着されている。この導電部材２６も、上記同様に鈎型の屈折片２６ａと、切起し舌片２６ｂとを備え、屈折片２６ａが感光体ドラム１５の表面に非接触で、帯電器１６側よりその自由端が露光器１７の発光部１７ｂの近傍に臨むと共に、切起し舌片２６ｂが露光器１７の金属製フレーム１７Ａの表面に弾接している。従って、この導電部材２６もアース電位に維持され、感光体ドラム１５の表面上の上記残留トナーｔは、感光体ドラム１５の回転に伴い導電部材２６に吸着される。このように、露光器１７の発光部１７ｂを挟むように一対の導電部材２５，２６が配置されるから、トナーｔの吸着作用がより顕著となり、露光器１７の発光部１７ｂに対するトナー付着防止がより効果的になされる。
【００２６】
図５に示す実施形態は、導電部材２７にトナーｔの帯電極性とは逆極性の電位を付与するものである。この導電部材２７は、上記と同様の鈎型の屈折片２７ａを有し、この屈折片２７ａが感光体ドラム１５の表面に非接触で、帯電器１６側よりその自由端が露光器１７の発光部１７ｂの近傍に臨むよう設けられているが、露光器１７の金属製フレーム１７Ａに弾接する切起し舌片を有さず、これに代りバイアス電源２８に電気的に接続されている点で上記と異なる。図例では、感光体ドラム１５の表面に残留するトナーがマイナス帯電されているものとし、バイアス電源２８は、導電部材２７にプラス電位を付与するよう機能する。従って、感光体ドラム１５の表面上の浮遊し易い状態のトナーｔは、露光器１７に近づくに伴い、トナーｔと導電部材２７との互いに逆極性の電位差によって、トナーｔは導電部材２７に吸引されて付着し、露光器１７の発光部１７ｂに付着することがない。また、鈎型の屈折片２７ａの形状及び感光体ドラム１５の表面に対する位置関係に伴う空気の流れによる吸着相乗作用も同様に発現される。
【００２７】
この実施形態において、トナーｔがプラス帯電されている場合は、バイアス電源２８は導電部材２７にマイナス電位を付与するものとされる。また、図４に示す実施形態と同様に、ドラムユニット筐体２４における帯電器１６側の部位に、別の導電部材を更に設け、この導電部材に、トナーｔの帯電極性とは逆極性の電位を付与するようになすことも可能である。
【００２８】
上記各実施形態の説明で理解される通り、感光体ドラム１５の表面に浮遊し易い状態で残留するトナーｔは、逐次導電部材２５〜２７に吸着されるから、ドラムユニット１５Ａ内のトナー汚染環境が経時的に累積・悪化することがなく、露光器１７に対するトナー付着防止機能が維持される。そして、転写後に感光体ドラム１５の表面に残留するトナー量は僅かであり、また、ドラムユニット１５Ａは消耗品として定期的に交換されるものであるから、導電部材２５〜２７がトナー吸着過多の為にトナー吸着機能の低下を来たす前に、ドラムユニット１５Ａが交換・廃棄されることになるから、上記トナー汚染環境が経時的に悪化するような懸念がない。
【００２９】
尚、図１に示す複合機１、ドラムユニット１５Ａ及び現像器ユニット１８Ａの構成は図例のものに限定されず、他の構成のものであってもよいことは言うまでもない。また、ドラムユニット１５Ａと現像器ユニット１８とは互いに別体で、互いに分離可能に結合されたものとしたが、両者が分離不能な一体物であっても良い。更に、メモリー除去部材２０として導電性のブラシからなるものを例示したが、導電性繊維や発泡体等からなるものであってもよい。
【図面の簡単な説明】
【００３０】
【図１】本発明の画像形成装置が採用された複合機の一例を示す概略的縦断面図である。
【図２】同画像形成装置の拡大断面図である。
【図３】図２におけるＸ部の拡大図である。
【図４】別の実施形態の図３と同様図である。
【図５】更に別の実施形態の図３と同様図である。
【符号の説明】
【００３１】
１５    感光体ドラム
１６    帯電器
１７    露光器
１７ａ  ＬＥＤ
１７Ａ  金属製フレーム
１８    現像器
１９    転写器
２０    メモリー除去部材
２５    導電部材
２６    導電部材
２７    導電部材
Ａ      画像形成装置
【図１】
2007293063.tif 000003
【図２】
2007293063.tif 000004
【図３】
2007293063.tif 000005
【図４】
2007293063.tif 000006
【図５】
2007293063.tif 000007